(57)【要約】【課題】スリッパへの装着性を保つと共に、長期使用を可能とするスリッパカバー、スリッパカバー留め具、及び留め具付きスリッパカバーを提供すること。【解決手段】留め具付きスリッパカバー１は、スリッパカバー１０をスリッパ１００に装着し、スリッパ１００の甲被部１０１の開口縁両端部近傍において、スリッパカバー１０の甲被外覆部１１とスリッパ１００の甲被部１０１とをスリッパカバー留め具２０で共に挟むことにより、スリッパ１００に装着する。【選択図】　　　図１
2004105409.tif 000002
【特許請求の範囲】
【請求項１】
少なくともスリッパの甲被部の開口縁を被覆するスリッパカバーであって、スリッパの甲被部の外面を被覆する甲被外覆部と、スリッパの底部の踵近傍の側面を被覆する底側覆部とを設け、前記甲被外覆部の爪先側にスリッパの爪先の端縁近傍部分のみ引掛ける爪先引掛け部を具備すると共に、前記底側覆部にスリッパの底部の踵の端縁近傍部分のみ引掛ける踵引掛け部を具備することを特徴とするスリッパカバー。
【請求項２】
前記スリッパカバーが洗濯可能な布又は不織布で形成されていることを特徴とする請求項１に記載のスリッパカバー。
【請求項３】
前記爪先引掛け部が甲被外覆部の爪先側の端縁部に沿って収納された紐状の弾性部材からなると共に、前記踵引掛け部が底側覆部の踵側の端縁部に沿って収納された紐状の弾性部材からなることを特徴とする請求項１又は請求項２に記載のスリッパカバー。
【請求項４】
少なくともスリッパの甲被部の開口縁を被覆するスリッパカバーに用いるスリッパカバー留め具であって、スリッパの甲被部の開口縁両端部近傍において前記スリッパカバーとスリッパの甲被部とを共に挟む一対の挟止部と、該一対の挟止部を連結する連結部とを具備することを特徴とするスリッパカバー留め具。
【請求項５】
前記連結部がスリッパの甲被部と底部との接続部に沿った形状に形成されていることを特徴とする請求項４に記載のスリッパカバー留め具。
【請求項６】
請求項１乃至請求項３のいずれかに記載のスリッパカバーに請求項４又は請求項５に記載のスリッパカバー留め具を具備することを特徴とする留め具付きスリッパカバー。
【発明の詳細な説明】
【０００１】
【発明の属する技術分野】
本発明は、スリッパカバー・スリッパカバー留め具及び留め具付きスリッパカバーに関し、より詳しくは、不特定多数の者の使用による不衛生・不快感を解消すると共に、長期使用を可能とするスリッパカバー・スリッパカバー留め具及び留め具付きスリッパカバーに関する。
【０００２】
【従来の技術】
ホテルや旅館、病院等の不特定多数の者の集まる施設では、履物を脱いで共用のスリッパに履き替えることが多いが、共用のスリッパは不特定多数の者が繰り返し使用するので、スリッパに他者の足の汚れが付着していたり、スリッパの甲被内が水虫その他の菌に汚染されていたりして不衛生である。また、利用者には誰が履いたか分からないスリッパを履くことに対する不快感を抱く者も多い。
【０００３】
このような共用のスリッパの不衛生・不快感を解消するために、種々のスリッパカバーが提案されているが、多くのスリッパカバーは、その底部をスリッパの底上面に重ねているだけであるので、歩行時に装着者の足の踵に付着してスリッパから持ち上げられたり、スリッパを脱ぐ時にスリッパから抜け出たりして、スリッパへの装着性に劣っていた。
【０００４】
そこで、スリッパへの装着性の向上を図るために、図９に示すように、スリッパカバー５０の甲被内覆部５１にスリッパ１００の甲被部１０１の開口縁に引掛ける甲被縁覆部５２を設けると共に、その踵部５３にスリッパ１００の踵１０４を覆う袋状の底カバー５４を設けたものが提案されている（例えば、特許文献１、特許文献２参照）。
【０００５】
【特許文献１】
特開平５−１４６３０２号公報（第２頁、第４図）
【特許文献２】
特開平１０−２７６８０２号公報（第３頁、第３図）
【０００６】
【発明が解決しようとする課題】
しかしながら、共用のスリッパに用いられるスリッパカバーの多くは、使い捨てであり不経済であるという問題点がある。特にホテルや旅館などでは、使用後のスリッパカバーが大量の廃棄物になるという問題点がある。
【０００７】
また、再使用することができたとしても、図９に示すスリッパカバー５０では、底カバー５４が袋体となっているために該底カバー５４の下面がスリッパ１００の底部１０２の下面に被さって汚れやすく且つ傷みやすく、これにより、他の部分が使用可能な状態であってもスリッパカバー５０を廃棄しなければならないという問題点がある。更に、スリッパ１００の底部１０２の下面が底カバー５４で覆われるために歩行時に滑りやすいという問題点がある。更にまた、甲被縁覆部５２は甲被部１０１の開口側縁に引掛けられているだけであるので、見栄えがよくないという問題点がある。
【０００８】
本発明は、上記課題に鑑みてなされたものであり、スリッパへの装着性を保つと共に、長期使用を可能とするスリッパカバー・スリッパカバー留め具及び留め具付きスリッパカバーを提供することを目的とする。
【０００９】
【課題を解決するための手段】
前記目的を達成するためになされた本発明の請求項１に記載のスリッパカバーは、少なくともスリッパの甲被部の開口縁を被覆するスリッパカバーであって、スリッパの甲被部の外面を被覆する甲被外覆部と、スリッパの底部の踵近傍の側面を被覆する底側覆部とを設け、前記甲被外覆部の爪先側にスリッパの爪先の端縁近傍部分のみ引掛ける爪先引掛け部を具備すると共に、前記底側覆部にスリッパの底部の踵の端縁近傍部分のみ引掛ける踵引掛け部を具備することを特徴とするものである。
【００１０】
請求項２に記載のスリッパカバーは、請求項１に記載のスリッパカバーにおいて、前記スリッパカバーが洗濯可能な布又は不織布で形成されていることを特徴とするものである。
【００１１】
請求項３に記載のスリッパカバーは、請求項１又は請求項２に記載のスリッパカバーにおいて、前記爪先引掛け部が甲被外覆部の爪先側の端縁部に沿って収納された紐状の弾性部材からなると共に、前記踵引掛け部が底側覆部の踵側の端縁部に沿って収納された紐状の弾性部材からなることを特徴とするものである。
【００１２】
請求項４に記載のスリッパカバー留め具は、少なくともスリッパの甲被部の開口縁を被覆するスリッパカバーに用いるスリッパカバー留め具であって、スリッパの甲被部の開口縁両端部近傍において前記スリッパカバーとスリッパの甲被部とを共に挟む一対の挟止部と、該一対の挟止部を連結する連結部とを具備することを特徴とするものである。
ここで、本請求項に記載のスリッパカバー留め具は、少なくともスリッパの甲被部の開口縁を被覆するスリッパカバーに用いられるものであるので、図９に示す従来のスリッパカバー５０に用いることができるだけでなく（図８参照）、請求項１に記載のスリッパカバーにも用いることができる。
【００１３】
請求項５に記載のスリッパカバー留め具は、請求項４に記載のスリッパカバー留め具において、前記連結部がスリッパの甲被部と底部との接続部に沿った形状に形成されていることを特徴とするものである。
【００１４】
請求項６に記載の留め具付きスリッパカバーは、請求項１乃至請求項３のいずれかに記載のスリッパカバーに請求項４又は請求項５に記載のスリッパカバー留め具を具備することを特徴とするものである。
【００１５】
【発明の実施の形態】
以下、本発明の実施の形態について図面に基づいて説明する。本実施の形態に係る留め具付きスリッパカバー１は、図１及び図２に示すように、スリッパ１００にスリッパカバー１０を装着し、スリッパ１００の甲被部１０１の開口縁両端部近傍において、スリッパカバー１０の甲被外覆部１１とスリッパ１００の甲被部１０１とをスリッパカバー留め具２０で共に挟んだものである。以下、更に詳細に説明する。
【００１６】
スリッパカバー１０は、図３及び図４に示すように、洗濯可能な布又は不織布を適当な形状に裁断して形成したものであって、スリッパ１００の底部１０２の平面形状と略等しい平面形状であってスリッパ１００の底部１０２の上面を被覆する底上覆部１２と、スリッパ１００の甲被部１０１の内面の平面形状より少し大きい平面形状であってスリッパ１００の甲被部１０１内に挿入され該甲被部１０１の内面を被覆する甲被内覆部１３と、スリッパ１００の甲被部１０１の外面の平面形状より大きい平面形状であってスリッパ１００の爪先１０３の端縁近傍部分のみ引掛ける爪先引掛け部１４を有しスリッパ１００の甲被部１０１の外面を被覆する甲被外覆部１１と、平面視略Ｕ字形であってスリッパ１００の底部１０２の踵１０４の端縁近傍部分のみ引掛ける踵引掛け部１５を有し底部１０２の踵１０４近傍の側面を被覆する底側覆部１６とを具備している。
【００１７】
爪先引掛け部１４は、甲被外覆部１１の爪先側に該爪先側の端縁部に沿って紐状のゴムを収納することにより形成される。また、踵引掛け部１５は、底側覆部１６の踵側に該踵側の端縁部に沿って紐状のゴムを収納することにより形成される。
【００１８】
なお、本実施の形態では、爪先引掛け部１４及び踵引掛け部１５を共に紐状のゴムとしているが、バネ等の他の弾性部材を甲被外覆部１１の爪先側及び底側覆部１６の踵側のそれぞれの端縁部に沿って収納することにより、爪先引掛け部１４及び踵引掛け部１５を形成してもよい。あるいは、甲被外覆部１１の爪先側及び底側覆部１６の踵側に両面テープを配して爪先引掛け部１４及び踵引掛け部１５を形成して、スリッパ１００の爪先１０３及び踵１０４に貼着させることとしてもよい。
【００１９】
スリッパカバー１０の形成は、ミシン縫製によって行われる。具体的には、まず、底上覆部１２の甲被部側の周縁と甲被内覆部１３の周縁とを縫合し、装着者の爪先が挿入可能な略スリッパ形状とする。次に、甲被内覆部１３の開口側の周縁と甲被外覆部１１の開口側の周縁とを縫合し、甲被内覆部１３と甲被外覆部１１とでスリッパ１００の開口縁を含めた甲被部１０１全体を被覆可能な形状とする。そして、底上覆部１２の踵部周縁と底側覆部１６の上縁とを縫合する。最後に、甲被外覆部１１の爪先側の端縁部及び底側覆部１６の踵側の端縁部に紐状のゴムを縫い付けて爪先引掛け部１４及び踵引掛け部１５をそれぞれ形成する。なお、ミシン縫製の手順はこれに限定されるものではなく、任意の手順で行うことができる。
【００２０】
スリッパカバー留め具２０は、図２及び図５に示すように、折り曲げ自在の細長いワイヤを折り曲げて形成したものであって、スリッパの１００の甲被部１０１の開口縁両端部近傍においてスリッパカバー１０の甲被外覆部１１とスリッパ１００の甲被部１０１とを共に挟む平面視略Ｕ字形の一対の挟止部２１と、該一対の挟止部２１を連結する連結部２２とを具備している。
【００２１】
スリッパカバー留め具２０の形成は、ワイヤを平面視略Ω形状に折り曲げることによって行われる。具体的には、まず、ワイヤをスリッパ１００の底部１０２と甲被部１０１との接続部に沿うように略Ｕ字形に折り曲げて連結部２２を形成した後、該連結部２２の両端部を略１８０°外側に折り曲げ且つその先端部を渦巻き状に巻いて挟止部２１を形成することにより行われる。
【００２２】
なお、本実施の形態では、スリッパカバー１０の甲被外覆部１１とスリッパ１００の甲被部１０１とを共に挟む面積を大きくするために、挟止部２１の一方の形状を連結部２２の先端部を渦巻き状に巻いた渦巻きバネ形としているが、挟止部２１は、スリッパカバー１０の甲被外覆部１１とスリッパ１００の甲被部１０１とを共に挟むことができればよく、任意の形状をとることができる。
【００２３】
また、本実施の形態では、連結部２２の形状をスリッパ１００の底部１０２と甲被部１０１との接続部に沿うように略Ｕ字形としているが、例えば、図６に示すように、スリッパ１００の甲被部１０１の開口縁の外面に沿った形状としてもよく、装着者の足入れの妨げとならずに一対の挟止部２１を連結することができれば任意の形状をとることができる。
【００２４】
留め具付きスリッパカバー１のスリッパ１００への装着は、以下の手順で行う。まず、図１及び図２に示すように、スリッパカバー留め具２０の各挟止部２１の折返し２１がスリッパ１００の甲被部１０１の開口縁両端部に掛合するまで甲被部１０１内に連結部２２を挿入して、スリッパカバー留め具２０をスリッパ１００に装着する。次に、スリッパ１００の甲被部１０１内にスリッパカバー１０の甲被内覆部１３を挿入すると共に、爪先引掛け部１４をスリッパ１００の爪先１０３に引掛けて甲被外覆部１１をスリッパ１００の甲被部１０１の外面に被せ、踵引掛け部１５をスリッパ１００の踵１０４に引掛けて底側覆部１６をスリッパ１００の底部１０２の踵１０４近傍の側面に被せることによってスリッパカバー１０をスリッパ１００に装着する。最後に、スリッパ１００の甲被部１０１の開口縁両端部近傍において、甲被外覆部１１とスリッパ１００の甲被部１０１とを共に挟止部２１で挟んで留め具付きスリッパカバー１をスリッパ１００に装着する。
【００２５】
このとき、爪先引掛け部１４及び踵引掛け部１５は伸縮自在のゴムであるので、スリッパ１００の爪先１０３及び踵１０４への引掛かりがよく、スリッパカバー１０のスリッパ１００への装着は容易である。また、スリッパカバー留め具２０は細長いワイヤからなるので装着者の足入れの妨げとはならず、スリッパ１００の甲被部１０１内に挿入するだけでよいので着脱が容易である。更に、甲被外覆部１１はスリッパ１００の甲被部１０１の外面を被覆するので、スリッパ１００全体がスリッパカバー１０で覆われることとなり、スリッパ１の見栄えが向上する。
なお、本実施の形態では、スリッパカバー１０とスリッパカバー留め具２０とを別部材としているが、予め、該スリッパカバー留め具２０をスリッパカバー１０の底上覆部１２の甲被部側の周縁に縫い付けたり、該周縁を袋状としてスリッパカバー留め具２０を収納したりして、スリッパカバー１０とスリッパカバー留め具２０とを一体化させてもよい。
【００２６】
更にまた、図４に示すように、踵引掛け部１５をスリッパ１００の底部１０２の踵１０４の端縁近傍部分のみ引掛けてスリッパカバー１０の底側覆部１６をスリッパ１００の装着するので、スリッパカバー１０の底側覆部１６はスリッパ１００の底部１０２の踵１０４近傍の側面を被覆するが底部１０２の下面には被さらないこととなり、従来のスリッパカバー５０の底カバー５４（図９参照）のように汚れたり傷んだりしないだけでなく、歩行時に滑りにくい。
【００２７】
留め具付きスリッパカバー１の使用後は、スリッパカバー１０及びスリッパカバー留め具２０をスリッパから取り外して、スリッパカバー１０を洗濯する。スリッパカバー１０を洗濯して使用することで、スリッパカバー１０を常に清潔な状態に保つことができるだけでなく、使い捨てすることなく長期間使用することができる。また、布又は不織布に抗菌処理を施したものを用いれば衛生的に更に優れたものとなる。
【００２８】
このように、留め具付きスリッパカバー１は、スリッパカバー１０を洗濯することにより繰り返し使用することができるので、不特定多数の者が利用する施設に用いるだけでなく、家庭用としても好適である。例えば、古くなったスリッパに留め具付きスリッパカバー１を装着すれば、スリッパ全体が留め具付きスリッパカバー１に覆われることで見栄えがよくなるだけでなく、一人一人異なる模様の留め具付きスリッパカバー１を用いれば、家族で共用していたスリッパを各自自分専用のスリッパとすることができる。
【００２９】
また、図３に示すように、スリッパカバー留め具２０を用いずにスリッパカバー１０単独で使用することもできる。該スリッパカバー１０は、爪先引掛け部１４をスリッパ１００の爪先１０３に引掛け、踵引掛け部１５をスリッパ１００の踵１０４に引掛けてスリッパ１００に装着するので、スリッパ１００への装着は容易であると共に、歩行時やスリッパを脱ぐ時にスリッパカバー１０がスリッパ１００から外れることがない。更に、スリッパカバー１０は、軽くてコンパクトに折り畳み可能であるので、外出時に自分専用のスリッパカバー１０として携行することができる。これにより、不特定多数の者が利用する施設でスリッパカバーを備え付けていないところであっても、安心して共用のスリッパを着用することができる。
【００３０】
なお、本実施の形態では、スリッパカバー留め具２０は、挟止部２１を連結部２２の両端部を略１８０°外側に折り曲げることにより形成しているが、図７に示すように、これとは逆に略１８０°内側に折り曲げることによりスリッパカバー留め具３０を形成し、各挟止部２１の折返し２１がスリッパ１００の甲被部１０１の開口縁両端部に掛合するまで底部１０２と甲被部１０１との接続部に連結部２２を被せた後に、スリッパカバー１０を前述と同様の手順でスリッパ１００に装着し、最後に、スリッパ１００の甲被部１０１の開口縁両端部近傍において、甲被内覆部１３とスリッパ１００の甲被部１０１とを共に挟止部２１で挟むこととしてもよい。
【００３１】
また、図８に示すように、スリッパカバー留め具２０は、本実施の形態に係るスリッパカバー１０に限定して用いられるものではなく、例えば、従来のスリッパカバー５０のように、少なくともスリッパ１００の甲被部１０１の開口縁を被覆する甲被縁覆部５２を有しているものであれば用いることができ、スリッパ１００の甲被部１０１の開口縁両端部近傍において、スリッパカバー５０の甲被縁覆部５２とスリッパ１００の甲被部１０１とを共にスリッパカバー留め具２０の挟止部２１で挟むことにより、スリッパカバー５０のスリッパ１００ヘの装着性を向上させることができる。
【００３２】
【発明の効果】
本発明の請求項１のスリッパカバーよれば、底側覆部がスリッパの底部の下面に被さらないことで汚れにくく且つ傷みにくくなり、スリッパカバーを長期にわたって使用することができるだけでなく、歩行時に滑りにくいという利点がある。
【００３３】
また、爪先引掛け部及び踵引掛け部をスリッパの爪先及び踵にそれぞれ引掛けることによりスリッパカバーをスリッパに装着するので、装着が容易であるだけでなく、歩行時やスリッパを脱ぐ時にスリッパカバーがスリッパから外れることがなく装着性も良好である。
【００３４】
更に、甲被外覆部がスリッパの甲被部の外面を被覆することでスリッパ全体がスリッパカバーに覆われることとなり見栄えがよくなるという利点がある。
【００３５】
請求項２に記載のスリッパカバーよれば、使用後に洗濯することで繰り返して使用することが可能となり経済的であるという利点がある。特にホテルや旅館等では、廃棄物の発生量を減らすことができるという利点がある。
【００３６】
また、洗濯することにより常にスリッパカバーを清潔にしておくことができるので衛生的であり、利用者の不快感を大幅に減少させることができるという利点がある。
【００３７】
本発明の請求項３に記載のスリッパカバーよれば、スリッパの爪先及び踵への引掛かりがよくスリッパへの装着は容易であり、また、洗濯しても傷みにくいという利点がある。
【００３８】
本発明の請求項４に記載のスリッパカバー留め具によれば、スリッパの甲被部の開口縁両端部近傍において、スリッパカバー留め具の一対の挟止部で前記スリッパカバーとスリッパの甲被部とを共に挟むことによりスリッパカバーがスリッパから外れることを防ぐので、スリッパカバーのスリッパへの装着性を向上させることができるという利点がある。
【００３９】
本発明の請求項５に記載のスリッパカバー留め具によれば、装着者の足入れの妨げとはならず、装着者の履き心地を損なうことがないという利点がある。
【００４０】
本発明の請求項６に記載の留め具付きスリッパカバーによれば、上述の利点に加えて、爪先引掛け部及び踵引掛け部をスリッパの爪先及び踵にそれぞれ引掛けること加えてスリッパカバーの甲被内覆部又は甲被外覆部の開口縁両端部をスリッパの甲被部とスリッパカバー留め具の挟止部とでそれぞれ挟むこととなり、スリッパカバーをスリッパに装着するので、その装着性を更に向上させることができるという利点がある。
【図面の簡単な説明】
【図１】本発明の実施の形態に係る留め具付きスリッパカバーを示す概略斜視図である。
【図２】本発明の実施の形態に係る留め具付きスリッパカバーを示す概略側面図である。
【図３】本発明の実施の形態に係るスリッパカバーを示す概略斜視図である。
【図４】本発明の実施の形態に係るスリッパカバーを示す概略断面図である。
【図５】本発明の実施の形態に係るスリッパカバー留め具を示す概略平面図である。
【図６】本発明の他の実施の形態に係るスリッパカバー留め具を示す概略斜視図である。
【図７】本発明の他の実施の形態に係るスリッパカバー留め具を示す概略平面図である。
【図８】本発明の他の実施の形態を示す概略斜視図である。
【図９】従来の実施の形態を示す概略断面図である。
【符号の説明】
１　留め具付きスリッパカバー
１０　スリッパカバー
１１　甲被外覆部
１２　底上覆部
１３　甲被内覆部
１４　爪先引掛け部
１５　踵引掛け部
１６　底側覆部
２０　スリッパカバー留め具
２１　挟止部
２２　連結部
１００　スリッパ
１０１　甲被部
１０２　底部
１０３　爪先
１０４　踵
【図１】
2004105409.tif 000003
【図２】
2004105409.tif 000004
【図３】
2004105409.tif 000005
【図４】
2004105409.tif 000006
【図５】
2004105409.tif 000007
【図６】
2004105409.tif 000008
【図７】
2004105409.tif 000009
【図８】
2004105409.tif 000010
【図９】
2004105409.tif 000011